(57)【要約】    【課題】  圧迫感や寝苦しさを生じさせず、しかも効果的に掛布団等の上掛け寝具の跳ね上げやずれ落ちを防止できるという機能を有するベッドスカートを提供すること。    【解決手段】  ベッド基台の一つの短側面とそれに連なるの二つの長側面とを覆うベッドスカートであって、短側面を被覆するベッドスカートの短側面被覆部の外側に、短側面被覆部の上端付近に結合されてなる長さが１０乃至５０ｃｍであり、幅がベッド基台の幅の１／３乃至１倍であり、特定の形状を有する舌部が形成されており、且つ、長側面を被覆するベッドスカートの長側面被覆部それぞれの外側に、長側面被覆部の上端付近に結合されてなるその幅が１０乃至４０ｃｍの帯状部（すべての帯状部は、長側面被覆部の上端と短側面被覆部の上端との結合部からベッド基台の長側面の長さの１／３までの部分に存在する）が少なくとも一つ形成されているベッドスカートを使用する。【選択図】  図１
0003130822.tif 000002
【実用新案登録請求の範囲】
【請求項１】
ベッド基台の四側面の中、一つの短側面とその短側面に連なるの二つの長側面とを覆うベッドスカートであって、ベッド基台の短側面を被覆するベッドスカートの短側面被覆部の外側に、短側面被覆部の上端付近に結合されてなる長さが１０乃至５０ｃｍであり、幅がベッド基台の幅の１／３乃至１倍であり、正方形、長方形、台形又はそれらの形状における角が面取りされてなる形状の舌部が形成されており、且つ、ベッド基台の長側面を被覆するベッドスカートの長側面被覆部それぞれの外側に、長側面被覆部の上端付近に結合されてなるその幅が１０乃至４０ｃｍの帯状部が少なくとも一つ形成されており、ここで、すべての帯状部は、長側面被覆部の上端と短側面被覆部の上端との結合部からベッド基台の長側面の長さの１／３までの部分に存在することを特徴とするベッドスカート。
【請求項２】
ベッドスカートがヒダ又はギャザースカートである、請求項１に記載のベッドスカート。
【考案の詳細な説明】
【技術分野】
【０００１】
本考案は、上掛け寝具のずれ落ち防止機能を有するベッドスカートに関する。
【背景技術】
【０００２】
ベッド用マットレスを載せるためのベッド基台、特に病院等で使用されているベッド基台は、概略、マットレス載置部、四本の脚部及び背もたれ部を備えるという構造であり、ベッド基台の下に荷物等を置くと、それが見えている場合が多い。そこで、ベッド基台のマットレス載置部の下の部分を隠すとともに、華やかさを演出するために、ベッドスカート（ベッドラッフルと呼称されることもある）が使用されている。
【０００３】
図３に示すように、従来のベッドスカート６００は、布製の、ベッド基台のマットレス載置部の大きさよりもやや小さい開口を有する、概略Ｕ字形の形状のものである。図４に示すように、使用の際には、ベッドスカート６００を、ベッド基台Ｂのマットレス載置部に掛け、その上にベッド用マットレスＭを載せる。このように、ベッドスカート６００は、その上部がベッド基台Ｂのマットレス載置部とベッド用マットレスＭとの間に挟持されて使用される。
【０００４】
ところで、人は、就寝中に寝返りを打ったり、掛布団等の上掛け寝具を跳ね上げる。その結果、特にベッドで就寝している場合には、上掛け寝具がベッドからずれ落ち、これが寝冷えやカゼひきの原因の一つとなっている。また、人がベッドから立ち上がる際にも、上掛け寝具がずれ落ちることがある。
【０００５】
このような上掛け寝具のずれ落ちや跳ね上げを防止するための用具として、種々のものが提案されている。それらの中で、比較的簡便な構造で、布を使用しているものとして、特許文献１及び２に記載のものがある。
【０００６】
図５に示すように、特許文献１に記載の布団の跳ね上げ防止具７００は、ベルト状の長尺物であって、長尺の第一の布地１の両端それぞれに伸縮材２，２が取り付けられ、それらの伸縮材２，２それぞれの他端には第二の布地３，３が取り付けられ、さらに、それら第二の布地３，３それぞれの他端には係合部材４ａ，４ｂが取り付けられているものである。この跳ね上げ防止具７００を使用する際には、第一の布地１の部分を敷布団等の敷寝具の下に配置し、伸縮材２，２と第二の布地３，３を上掛け寝具の上に配置し、そして、係合部材４ａ，４ｂによって係合する。係合により、ベルト状の長尺物が輪となり、上掛け寝具Ｆを止める。
【０００７】
特許文献１の布団の跳ね上げ防止具は、布団の長さ方向のおおよそ中央部で使用されるが、足元側は全く固定されていないので、この防止具より下側の足元付近では、布団の跳ね上げが生じる。また、布団の長さ方向のおおよそ中央部の一個所のみで固定しているため、寝返りや跳ね上げが激しいと、上掛け寝具のずれ落ちが生じることもある。
【０００８】
特許文献２には、図６に示す、概略Ｔ字形状の布団ずり落ち防止カバー８００が開示されている。このカバー８００は、四角形の本体部６と、その上方左右に位置する帯状部５ａ，５ｂとからなるものである。このカバー８００の本体部６の幅Ｗ６は、本体部６全体にわたって上掛け寝具Ｆの幅に等しい、即ち、ベッド基台の幅よりも数十ｃｍ大きい。図７に示すように、このカバー８００は、ベッド基台Ｂのマットレス載置部上であってベッド用マットレスＭの下に載置される。そして、ベッドの下端（足元側）から本体部６の垂れ下がった部分を折り返して、マットレスＭの下端側面と上掛け寝具Ｆの下方部分（上掛け寝具Ｆの長さ方向で約１／３）であって表地の上を覆い、次いで、ベッド基台Ｂの左右に垂れ下がった帯状部５ａ，５ｂを折り返して、マットレスＭの横側面と上掛け寝具Ｆの下方部分とを、上掛け寝具Ｆの横側面から表地の幅方向中央に向って覆って使用する。このカバー８００の使用時の形態の特徴は、本体部６の上掛け寝具Ｆ上を覆っている部分のすべてが、帯状部５ａ，５ｂによって覆われていることと、帯状部５ａ，５ｂが一部重なっていることである。
【０００９】
特許文献２に記載の布団ずり落ち防止カバー８００を使用すると、上掛け寝具Ｆの足元側の長さ方向で約１／３の部分が、このカバー８００でしっかりと被覆されるため、上掛け寝具Ｆの跳ね上げやずれ落ちは生じ難い。しかし、その使用感は、上掛け寝具の足元側がマットレスと共に袋状のカバーに装入されている場合とほぼ同様であり、上掛け寝具がしっかりと被覆されているために圧迫感があり、また、寝返りを打ち辛く、さらに、特に夏季においては、上掛け寝具ＦとマットレスＭとの間における空気の流通が妨げられるために、寝苦しさを与えてしまう。
【００１０】
また、ベッドスカートに他の機能も付加したものの例として、特許文献３に記載のベッドボックススカートシーツがある。これは、ベッドボックスシーツの三方の下縁に、ベッドスカート部を縫着してなるものである。
【００１１】
【特許文献１】実開平０７−２５８７６号公報
【特許文献２】実開平０６−５０５７１号公報
【特許文献３】特開平０８−１０１２２号公報
【考案の開示】
【考案が解決しようとする課題】
【００１２】
本考案の目的は、圧迫感や寝苦しさを生じさせず、しかも効果的に掛布団等の上掛け寝具の跳ね上げやずれ落ちを防止できるという機能を有するベッドスカートを提供することにある。
【課題を解決するための手段】
【００１３】
上記目的を達成するために、本考案者は鋭意検討し、以下の考案を完成させた。
【００１４】
即ち、本考案は、ベッド基台の四側面の中、一つの短側面とその短側面に連なるの二つの長側面とを覆うベッドスカートであって、ベッド基台の短側面を被覆するベッドスカートの短側面被覆部の外側に、短側面被覆部の上端付近に結合されてなる長さが１０乃至５０ｃｍであり、幅がベッド基台の幅の１／３乃至１倍であり、正方形、長方形、台形又はそれらの形状における角が面取りされてなる形状の舌部が形成されており、且つ、ベッド基台の長側面を被覆するベッドスカートの長側面被覆部それぞれの外側に、長側面被覆部の上端付近に結合されてなるその幅が１０乃至４０ｃｍの帯状部が少なくとも一つ形成されており、ここで、すべての帯状部は、長側面被覆部の上端と短側面被覆部の上端との結合部からベッド基台の長側面の長さの１／３までの部分に存在することを特徴とするベッドスカートに関する。
【００１５】
ベッドスカートは、ヒダ又はギャザースカートであることが好ましい。
【考案の効果】
【００１６】
本考案のベッドスカートを使用することにより、就寝時に圧迫感や寝苦しさを生じさせず、上掛け寝具のずれ落ちや跳ね上げを防止することができる。また、本考案のベッドスカートを使用することにより、寝冷えやカゼひきが防止される。さらに、本考案のベッドスカートにおける上掛け寝具を固定する位置は、ベッドの足元側であるので、本考案のベッドスカートを使用すれば、上掛け寝具の枕側を足元側に向って折り曲げることにより、ベッドから容易に立ち上がることができる。
【考案を実施するための最良の形態】
【００１７】
以下に、本考案の好適例を、図面を参照しながら詳細に説明する。
【００１８】
図１は、本考案のベッドスカートの一例を示す平面図である。また、図２は、このベッドスカートの使用時の状態を模式的に示す斜視図である。
【００１９】
ベッドスカート１００は、ベッド基台Ｂの四側面の中、一つの短側面とその短側面に連なる二つの長側面とを覆うものである。もう一つの短側面（枕側）は、壁や引出し付きの台に接しているので、ベッドスカート１００で覆われない。ベッドスカート１００の、ベッド基台Ｂの短側面を被覆する部分は短側面被覆部１１であり、二つの長側面を被覆する部分は、長側面被覆部１２，１３である。なお、ベッドスカートの上端における、長側面被覆部１２と短側面被覆部１１との境界は、符号ｃで示されている個所であり、長側面被覆部１３と短側面被覆部１１との境界は、符号ｄで示されている個所であるが、下端側における長側面被覆部１２，１３の各々と短側面被覆部１１との境界は必ずしも明確ではない場合があり且つ明確でなくともよい。
【００２０】
短側面被覆部１１の外側には、舌部１５が形成されている。この舌部１５の上端ｍ付近は、短側面被覆部１１の上端付近に結合されている。「上端付近」とは、ベッドスカート１００の使用時に、ベッド基台Ｂのマットレス載置部とベッド用マットレスＭとの間に挟持される部分をいう。ベッドスカート１００の短側面被覆部１１への舌部１５の結合は、通常は縫製による。
【００２１】
舌部１５の長さｈ１５は、１０乃至５０ｃｍ、好ましくは１５乃至３０ｃｍである。舌部１５の長さｈ１５が１０ｃｍ未満であると、使用時に、上掛け寝具又は上掛け寝具用カバーＦの足元側を下に引っ張ってしまうことになる。一方、５０ｃｍ超であると、上掛け寝具又は上掛け寝具用カバーＦの表地側の足元から少し枕側に上がった個所で、舌部１５の下端ｎ付近を上掛け寝具又は上掛け寝具用カバーＦと結合させることになり、その場合には圧迫感を与えることになる。圧迫感を与えないために、舌部１５の下端ｎ付近ではなくそれよりも上端ｍに近い個所を、上掛け寝具又は上掛け寝具用カバーＦの足元側の側面（表地と裏地とが縫製される個所）付近に結合させることも可能であるが、その場合は布が無駄となるだけである。さらに、舌部１５の長さｈ１５が５０ｃｍ超の場合に、舌部１５の下端ｎ付近を上掛け寝具又は上掛け寝具用カバーＦの足元側の側面（表地と裏地とが縫製される個所）付近に結合させると、上掛け寝具Ｆのずれ落ち防止効果が不十分となる。舌部１５の長さｈ１５は、上掛け寝具又は上掛け寝具用カバーＦの足元側の側面（表地と裏地とが縫製される個所）付近に、舌部１５の上端ｍ付近を結合するに適する長さとするのがよい。従って、実際には、ベッド用マットレスＭの高さｈＭとほぼ等しい長さとするのがよい。
【００２２】
舌部１５の幅ｗ１５は、ベッド基台Ｂの幅ｗＢの１／３乃至１倍、好ましくは４０乃至９０％である。舌部１５の幅ｗ１５がベッド基台Ｂの幅ｗＢの１／３未満であると、上掛け寝具を十分に保持できず、一方、ベッド基台Ｂの幅ｗＢを超えると、圧迫感を与えることになる。シングル・サイズの場合、ベッド基台の幅は９０乃至１０５ｃｍ程度であるから、舌部１５の幅ｗ１５はは、３０乃至１０５ｃｍであり、４０乃至９０ｃｍであることが好ましい。
【００２３】
また、図１に示す例では、舌部１５の形状は長方形であるが、長方形に限定されず、正方形、台形又はそれらの形状における角が面取りされてなる形状であってもよい。
【００２４】
本考案のベッドスカート１００は、その長側面被覆部１２，１３のそれぞれの外側に、帯状部１６，１７を有する。帯状部１６は、長側面被覆部１２の上端と短側面被覆部１１の上端との結合部ｃからベッド基台Ｂの長側面の長さｈＢの１／３（図１において、線ｔで示されている個所）までの部分に存在する。また、帯状部１７も、長側面被覆部１３の上端と短側面被覆部１１の上端との結合部ｄからベッド基台Ｂの長側面の長さｈＢの１／３（図１において、線ｔで示されている個所）までの部分に存在する。
【００２５】
帯状部１６の上端ｏ付近は、長側面被覆部１２の上端付近に結合されている。また、帯状部１７の上端ｑ付近は、長側面被覆部１３の上端付近に結合されている。「上端付近」とは、ベッドスカート１００の使用時に、ベッド基台Ｂとベッド用マットレスＭとの間に挟持される部分をいう。ベッドスカート１００の短側面被覆部１２，１３への帯状部１６，１７の結合は、通常は縫製による。
【００２６】
帯状部１６，１７の幅ｗ１６，ｗ１７は、１０乃至４０ｃｍ、好ましくは１５乃至３０ｃｍである。帯状部１６，１７の幅ｗ１６，ｗ１７が１０ｃｍ未満であると、使用時に、上掛け寝具又は上掛け寝具用カバーＦの横を下に引っ張ってしまうことになる。一方、４０ｃｍを超えると、上掛け寝具又は上掛け寝具用カバーＦの表地側の横から幅方向中央側に少し入った個所で、帯状部１６，１７の下端ｐ，ｒ付近を上掛け寝具又は上掛け寝具用カバーＦと結合させることになり、その場合には圧迫感を与えることになる。圧迫感を与えないために、帯状部１６，１７の下端ｐ，ｒ付近ではなくそれよりも上端ｏ，ｑに近い個所を、上掛け寝具又は上掛け寝具用カバーＦの横の側面（表地と裏地とが縫製される個所）付近に結合させることも可能であるが、その場合は布が無駄となるだけである。さらに、帯状部１６，１７の幅ｗ１６，ｗ１７が４０ｃｍを超えている場合に、帯状部１６，１７の下端ｐ，ｒ付近を上掛け寝具又は上掛け寝具用カバーＦの横の側面（表地と裏地とが縫製される個所）付近に結合させると、上掛け寝具Ｆのずれ落ち防止効果が不十分となる。
【００２７】
帯状部１６，１７の幅ｗ１６，ｗ１７は、上掛け寝具又は上掛け寝具用カバーＦの横の側面（表地と裏地とが縫製される個所）付近に、帯状部１６，１７の上端ｏ，ｑ付近を結合するに適する長さとするのがよい。従って、帯状部１６，１７の幅ｗ１６，ｗ１７は、（上掛け用寝具の幅−ベッド基台の幅）÷２＋５乃至１０ｃｍであることが好ましい。ここで、加算した「５乃至１０ｃｍ」は、ベッド基台Ｂｎｏマットレス載置部とベッド用マットレスＭによって挟持される部分に相当する。例えばシングルサイズの場合は、ベッド基台の幅が９０乃至１０５ｃｍ程度であり、上掛け用寝具の幅が１２０乃至１５０ｃｍ（通常は１２０乃至１３０ｃｍ）であるから、帯状部１６，１７の幅ｗ１６，ｗ１７は、各々１２．５乃至４０ｃｍであるが、実際には、ベッド基台の幅や上掛け用寝具の幅に応じて適切な大きさを選択するのがよい。なお、帯状部１６，１７の幅ｗ１６，ｗ１７は、互いに同じである必要はない。
【００２８】
帯状部１６，１７の長さｈ１６，ｈ１７は、帯状部と上掛け寝具又は上掛け寝具用カバーＦとの結合に支障のない長さであればよく、好ましくは１乃至２５ｃｍ、更に好ましくは２乃至２２ｃｍ、更により好ましくは３乃至１８ｃｍ、特に好ましくは４乃至１５ｃｍである。帯状部１６，１７の長さｈ１６，ｈ１７は、互いに同じである必要はない。
【００２９】
図１に示された例においては、長側面被覆部１２，１３の各々に帯状部１６，１７が一つずつ存在する。しかし、帯状部は、各長側面被覆部に一つだけ存在するとは限らない。帯状部は、各長側面被覆部に少なくとも一つ存在すればよい。従って、各長側面被覆部に二つずつ、あるいは一方の長側面被覆部には二つの帯状部が存在し、他方の長側面被覆部には三つの帯状部が存在するような態様も、本考案の範囲内である。但し、何れの帯状部も、長側面被覆部の上端と短側面被覆部の上端との結合部からベッド基台の長側面の長さの１／３までの部分に存在し、その幅は１０乃至４０ｃｍである。
【００３０】
図１に示されたベッドスカート１００においては、長側面被覆部１２、短側面被覆部１１及び長側面被覆部１３が、この順に配置されて一体に形成されている。換言すれば、各被覆部の上端から下端までのすべてが結合されている。しかし、長側面被覆部１２と短側面被覆部１１、また短側面被覆部１１と長側面被覆部１３が、上端側のみにおいて結合され、下端側は結合されていないものであってもよい。更には、長側面被覆部や短側面被覆部の途中に、上端側のみにおいて結合され、下端側は結合されていない部分が存在していてもよい。
【００３１】
本考案のベッドスカートは、ヒダ又はギャザースカートであることが好ましい。ヒダやギャザーが入っていると、華やかさやがあり、また、ベッド基台の下への物の出し入れが容易となる。
【００３２】
図１及び図２に示した例の説明においては、数値はシングル・サイズの場合を例として取り上げたが、本考案のベッドスカートは、シングル・サイズ用に限定されるわけではなく、セミダブル、ダブル等の他のサイズ用のものであってもよい。
【００３３】
本考案に係るベッドスカートの材質は特に限定されないが、織物、編物、不織布、フェルト、及びキルティング加工地からなる群から選択されるいずれかの材料であることが好ましい。なお、ベッドスカートの短側面被覆部及び長側面被覆部と、舌部及び帯状部とが、異なる材質で形成されていてもよい。
【００３４】
本考案に係るベッドスカートを使用する際には、上掛け寝具又は上掛け寝具用カバーに結合する。この結合に使用するものは、特に限定されないが、例を挙げると、安全ピン、ボタンとボタン穴との組合せ、紐、面テープ（マジック・テープ（登録商標））等がある。ここに例示したものの中、安全ピン以外のものを使用してベッドスカートを上掛け寝具又は上掛け寝具用カバーに結合する場合には、ベッドスカートは、結合のための手段、例えばボタン穴、紐、面テープ等を、舌部の下端ｎの両側端部付近や帯状部の下端付近に用意しておく必要がある。
【００３５】
本考案に係るベッドスカートの使用方法は、次のとおりである。
【００３６】
先ず、ベッド用スカート１００を、その上端側（Ｕ字の開口側）の一部がベッドのマットレス載置部の上に来るように、ベッド基台Ｂの上から被せる。次いで、ベッド用マットレスＭを載置することにより、ベッド用スカート１００の上端部付近を、ベッド基台Ｂのマットレス載置部とベッド用マットレスＭとで挟持させる。ベッド用マットレスＭにシーツを被せた後、上掛け寝具（上掛け寝具用カバーで覆われていてもよい）Ｆをのせる。
【００３７】
舌部１５の下端ｎの両側端部付近を、上掛け寝具又は上掛け寝具用カバーＦの足元側の側面に安全ピンｓ，ｓにて止める。次いで、帯状部１６，１７の下端ｐ、ｒ付近を、それぞれ、上掛け寝具又は上掛け寝具用カバーＦの横の側面に安全ピンｓ，ｓにて止める。
【図面の簡単な説明】
【００３８】
【図１】本考案のベッドスカートの一例を示す平面図である。
【図２】本考案のベッドスカートの使用時の状態を模式的に示す斜視図である。
【図３】従来のベッドスカートの一例を示す平面図である。
【図４】従来のベッドスカートの使用時の状態を模式的に示す斜視図である。
【図５】特許文献１に記載された布団の跳ね上げ防止具の一例を模式的に示す平面図である。
【図６】特許文献２に記載された布団のずり落ち防止カバーの一例を模式的に示す平面図である。
【図７】特許文献２に記載された布団のずり落ち防止カバーの使用時の状態を模式的に示す斜視図である。
【符号の説明】
【００３９】
１００，６００  ベッドスカート
７００  布団の跳ね上げ防止具
８００  布団のずり落ち防止カバー
１１  短側面被覆部
１２，１３  長側面被覆部
１５  舌部
１６，１７  帯状部
Ｂ  ベッド基台
Ｍ  ベッド用マットレス
Ｆ  上掛け寝具又は上掛け寝具用カバー
【図１】
0003130822.tif 000003
【図２】
0003130822.tif 000004
【図３】
0003130822.tif 000005
【図４】
0003130822.tif 000006
【図５】
0003130822.tif 000007
【図６】
0003130822.tif 000008
【図７】
0003130822.tif 000009